(57)【要約】【課題】無線送信装置において、安価かつ簡素な構成にて、閾値の違いやリンギングの影響を低減し、正確な信号の伝送を行う。【解決手段】ベースバンド部５１は、既知の信号パターンを有するパイロット信号をベースバンド信号に付加してＨ／Ｌ判定部６１に出力する。Ｈ／Ｌ判定部６１は入力されたベースバンド信号をＨ／Ｌ判定する。信号パターン比較部６４は、パイロット信号の信号パターンと、Ｈ／Ｌ判定部６１によって判定されたベースバンド信号の信号パターンとを比較する。２つの信号が一致しないと判定された場合、閾値制御部６３は、閾値を変更する。【選択図】図１
2010154334.tif 000002
【特許請求の範囲】
【請求項１】
デジタルのベースバンド信号を出力するベースバンド部と、
前記ベースバンド部から出力されたベースバンド信号のハイ（Ｈ）又はロー（Ｌ）を判
定し、対応する信号を出力するＨ／Ｌ判定部と、
前記Ｈ／Ｌ判定部から出力された信号をアンテナを介して無線送信する無線送信部を備
えた無線送信装置において、
前記ベースバンド部は、前記ベースバンド信号に既知のパイロット信号を付加して前記
Ｈ／Ｌ判定部に出力し、
前記Ｈ／Ｌ判定部がＨ／Ｌ判定の際に基準とする閾値を変更する閾値制御部と、前記既
知の信号パターンと実際に前記ベースバンド部から出力され前記Ｈ／Ｌ判定部によって判
定されたベースバンド信号の信号パターンとを比較する信号パターン比較部とをさらに備
え、
前記閾値制御部は、前記信号パターン比較部による比較結果において、前記Ｈ／Ｌ判定
部によって判定されたベースバンド信号の信号パターンが前記既知のパイロット信号の信
号パターンと一致するように、前記閾値を自動で変更することを特徴とする無線送信装置
。
【請求項２】
前記閾値制御部は、前記信号パターン比較部によって前記既知のパイロット信号の信号
パターンと一致すると判定されたベースバンド信号について、前記Ｈ／Ｌ判定部によって
所定の読み込みタイミングにおいて検出されたハイ値とロー値の平均値を前記閾値として
設定することを特徴とする請求項１に記載の無線送信装置。
【請求項３】
前記閾値制御部は、前記信号パターン比較部によって前記既知のパイロット信号の信号
パターンと一致すると判定された複数ビットのベースバンド信号について、前記Ｈ／Ｌ判
定部によって各ビット毎に所定の読み込みタイミングにおいて検出されたハイ値とロー値
を記憶し、記憶したハイ値の最小値とロー値の最大値の平均値を前記閾値として設定する
ことを特徴とする請求項１に記載の無線送信装置。
【請求項４】
前記閾値制御部が前記閾値を所定回数変更しても、前記信号パターン比較部による比較
結果において、前記Ｈ／Ｌ判定部によって判定された信号パターンが前記既知のパイロッ
ト信号の信号パターンと一致しない場合に、警告を発する警告部をさらに備えたことを特
徴とする請求項１乃至請求項３のいずれか一項に記載の無線送信装置。
【請求項５】
前記ベースバンド部から出力されたベースバンド信号を前記Ｈ／Ｌ判定部に伝送する信
号入力ラインに介挿された可変抵抗と、この可変抵抗の抵抗値を制御する抵抗制御部をさ
らに備えたことを特徴とする請求項１乃至請求項４のいずれか一項に記載の無線送信装置
。
【請求項６】
前記抵抗制御部は、前記閾値制御部によって記憶されている前記ハイ値の最小値から前
記ロー値の最大値を減じた値が最大となるように前記可変抵抗の抵抗値を制御することを
特徴とする請求項５に記載の無線送信装置。
【請求項７】
前記閾値制御部及び／又は抵抗制御部が動作を開始する時間を管理する時間管理部をさ
らに備えたことを特徴とする請求項１乃至請求項６のいずれか一項に記載の無線送信装置
。
【請求項８】
前記閾値制御部が閾値を変更する前に、前記信号パターン比較部による比較結果におい
て、前記Ｈ／Ｌ判定部によって判定された信号パターンが前記既知のパイロット信号の信
号パターンと一致するときは、前記閾値制御部及び／又は抵抗制御部は動作を開始しない
ことを特徴とする請求項１乃至請求項６のいずれか一項に記載の無線送信装置。
【請求項９】
前記閾値制御部及び／又は抵抗制御部の動作を強制的に開始させる強制動作開始手段を
備えたことを特徴とする請求項８に記載の無線送信装置。
【請求項１０】
請求項１乃至請求項９のいずれか一項に記載の無線送信装置と、前記ベースバンド部に
映像信号を出力するカメラ装置を含む無線映像送信装置と、
前記無線送信装置から送信された信号を受信する無線受信装置と、前記無線受信装置に
よって受信された映像信号に基づいて、映像を再生表示する映像再生装置を含む無線映像
受信装置とを備えたことを特徴とする無線映像伝送システム。
【請求項１１】
前記カメラ装置から出力された映像信号を記憶する記憶部をさらに備え、
前記ベースバンド部は、前記記憶部に記憶されている映像信号を前記既知のパイロット
信号として、前記ベースバンド信号に付加して前記Ｈ／Ｌ判定部に出力することを特徴と
する請求項１０に記載の無線映像伝送システム。
【発明の詳細な説明】
【技術分野】
【０００１】
本発明は、デジタルのベースバンド信号を無線送信部に伝送する際に発生するリンギン
グの影響を排除して正確な信号の伝送を行うことができる無線送信装置及びこれを用いた
無線映像伝送システムに関する。
【背景技術】
【０００２】
無線送信装置は、デジタルのベースバンド信号を出力するベースバンド部と、アンテナ
を介して無線信号を送信する無線送信部とを備えている。通常、ベースバンド部及び無線
送信部は、それぞれ個別のＩＣが適用されており、両者はプリント配線基板に形成されて
いる配線パターンによって相互に接続されている。そのため、ベースバンド部から無線送
信部に信号を伝送する際に、リンギングの発生により、無線送信部において正確に信号を
読み取れないという問題が生じている。
【０００３】
また、従来のＩＣのＣＭＯＳ入力端子では、信号のハイ（Ｈ）又はロー（Ｌ）の判定（
以下、Ｈ／Ｌ判定とする）は、Ｖｄｄ／２（Ｖｄｄ：電源電圧）、すなわちＶｄｄの中央
値を閾値とし、信号の電圧と閾値を比較することによりなされている。各メーカーは、Ｈ
／Ｌ判定の確度を上げるために、Ｖｄｄ／３以下をＬ、２Ｖｄｄ／３以上をＨと判定する
仕様としている。一方、ＴＴＬ（Transistor-Transistor Logic）は、電源電圧に関係無
く閾値を約１．４Ｖに設定しており、こちらも確度を上げるため仕様では０．８Ｖ以下を
Ｌ、２．０Ｖ以上をＨとしている。このようなＣＭＯＳとＴＴＬとをそのまま接続すると
閾値の違いにより正確に信号を伝えることができない可能性があることに加え、入力信号
がリンギングを持つ場合にもＨ／Ｌの判定を誤ってしまう可能性がある。更に映像信号な
どの連続したランダム信号においては、上述の不具合に加え符号間干渉も影響を与え、波
形が更に歪んでしまい、Ｈ／Ｌの誤判定が増えてしまう。
【０００４】
リンギングに関してさらに説明すると、例えば２つのＩＣ（ベースバンド部を構成する
ＩＣ１及び無線送信部を構成するＩＣ２）を接続する際に、インピーダンス整合が取れて
おりＩＣ間の物理的距離が数ｍｍ程度と短い場合には、リンギングが生じることはほとん
ど無く、ＩＣ２は正確に入力信号のＨ／Ｌを判定できる。しかしながら、ＩＣ１とＩＣ２
の間が回路設計の都合によりプリント回路基板上で物理的に長い距離を持ってしまう場合
や、ＩＣ１とＩＣ２が異なるプリント回路基板に実装されており、その間をケーブルなど
で接続する場合には、伝送路の寄生成分により、伝送する信号波形にリンギングやオーバ
ーシュート・アンダーシュートが生じ、ＩＣ２は正常に信号を読み込めないことがある。
そこで、このようなリンギングについてはＩＣの入力端子にダンピング抵抗等を挿入する
ことにより対応し、閾値の違いについてはレベル変換ＩＣを用いることにより対応してい
た。
【０００５】
しかしながら、レベル変換ＩＣやダンピング抵抗によるリンギング対策は、近年のＩＣ
の入出力端子数が飛躍的に増大していることを勘案すると、部品点数の増大に伴うコスト
アップを避けられない。なお、特許文献１には、撮像装置から得られる文字パターンや配
線パターン等の画像信号を精度よく２値化する方法が示されている。
【特許文献１】特開昭６３−１８１５２１号公報
【発明の開示】
【発明が解決しようとする課題】
【０００６】
本発明は、上記課題を解決するためになされたものであり、実装部品の点数を増加させ
ることなく、閾値の違いやリンギングの影響を低減し、正確な信号の伝送を行うことがで
きる無線送信装置及びこれを用いた無線映像伝送システムを提供することを目的とする。
【課題を解決するための手段】
【０００７】
上記目的を達成するために請求項１の発明は、デジタルのベースバンド信号を出力する
ベースバンド部と、前記ベースバンド部から出力されたベースバンド信号のハイ（Ｈ）又
はロー（Ｌ）を判定し、対応する信号を出力するＨ／Ｌ判定部と、前記Ｈ／Ｌ判定部から
出力された信号をアンテナを介して無線送信する無線送信部を備えた無線送信装置におい
て、前記ベースバンド部は、前記ベースバンド信号に既知のパイロット信号を付加して前
記Ｈ／Ｌ判定部に出力し、前記Ｈ／Ｌ判定部がＨ／Ｌ判定の際に基準とする閾値を変更す
る閾値制御部と、前記既知の信号パターンと実際に前記ベースバンド部から出力され前記
Ｈ／Ｌ判定部によって判定されたベースバンド信号の信号パターンとを比較する信号パタ
ーン比較部とをさらに備え、前記閾値制御部は、前記信号パターン比較部による比較結果
において、前記Ｈ／Ｌ判定部によって判定されたベースバンド信号の信号パターンが前記
既知のパイロット信号の信号パターンと一致するように、前記閾値を自動で変更すること
を特徴とする。
【０００８】
請求項２の発明は、請求項１に記載の無線送信装置において、前記閾値制御部は、前記
信号パターン比較部によって前記既知のパイロット信号の信号パターンと一致すると判定
されたベースバンド信号について、前記Ｈ／Ｌ判定部によって所定の読み込みタイミング
において検出されたハイ値とロー値の平均値を前記閾値として設定することを特徴とする
。
【０００９】
請求項３の発明は、請求項１に記載の無線送信装置において、前記閾値制御部は、前記
信号パターン比較部によって前記既知のパイロット信号の信号パターンと一致すると判定
された複数ビットのベースバンド信号について、前記Ｈ／Ｌ判定部によって各ビット毎に
所定の読み込みタイミングにおいて検出されたハイ値とロー値を記憶し、記憶したハイ値
の最小値とロー値の最大値の平均値を前記閾値として設定することを特徴とする。
【００１０】
請求項４の発明は、請求項１乃至請求項３のいずれか一項に記載の無線送信装置におい
て、前記閾値制御部が前記閾値を所定回数変更しても、前記信号パターン比較部による比
較結果において、前記Ｈ／Ｌ判定部によって判定された信号パターンが前記既知のパイロ
ット信号の信号パターンと一致しない場合に、警告を発する警告部をさらに備えたことを
特徴とする。
【００１１】
請求項５の発明は、請求項１乃至請求項４のいずれか一項に記載の無線送信装置におい
て、前記ベースバンド部から出力されたベースバンド信号を前記Ｈ／Ｌ判定部に伝送する
信号入力ラインに介挿された可変抵抗と、この可変抵抗の抵抗値を制御する抵抗制御部を
さらに備えたことを特徴とする。
【００１２】
請求項６の発明は、請求項５に記載の無線送信装置において、前記抵抗制御部は、前記
閾値制御部によって記憶されている前記ハイ値の最小値から前記ロー値の最大値を減じた
値が最大となるように前記可変抵抗の抵抗値を制御することを特徴とする。
【００１３】
請求項７の発明は、請求項１乃至請求項６のいずれか一項に記載の無線送信装置におい
て、前記閾値制御部及び／又は抵抗制御部が動作を開始する時間を管理する時間管理部を
さらに備えたことを特徴とする。
【００１４】
請求項８の発明は、請求項１乃至請求項６のいずれか一項に記載の無線送信装置におい
て、前記閾値制御部が閾値を変更する前に、前記信号パターン比較部による比較結果にお
いて、前記Ｈ／Ｌ判定部によって判定された信号パターンが前記既知のパイロット信号の
信号パターンと一致するときは、前記閾値制御部及び／又は抵抗制御部は動作を開始しな
いことを特徴とする。
【００１５】
請求項９の発明は、請求項８に記載の無線送信装置において、前記閾値制御部及び／又
は抵抗制御部の動作を強制的に開始させる強制動作開始手段を備えたことを特徴とする。
【００１６】
請求項１０の発明は、請求項１乃至請求項９のいずれか一項に記載の無線送信装置と、
前記ベースバンド部に映像信号を出力するカメラ装置を含む無線映像送信装置と、前記無
線送信装置から送信された信号を受信する無線受信装置と、前記無線受信装置によって受
信された映像信号に基づいて、映像を再生表示する映像再生装置を含む無線映像受信装置
とを備えたことを特徴とする無線映像伝送システムである。
【００１７】
請求項１１の発明は、請求項１０に記載の無線映像伝送システムにおいて、前記カメラ
装置から出力された映像信号を記憶する記憶部をさらに備え、前記ベースバンド部は、前
記記憶部に記憶されている映像信号を前記既知のパイロット信号として、前記ベースバン
ド信号に付加して前記Ｈ／Ｌ判定部に出力することを特徴とする。
【発明の効果】
【００１８】
請求項１の発明によれば、ベースバンド部から試験用の既知の信号パターンからなる  
パイロット信号を出力し、既知の信号パターンとＨ／Ｌ判定部によって判定されたベース
バンド信号の信号パターンとが一致するように、閾値制御部が自動で閾値を変更する。こ
れにより、ダンピング抵抗を用いることなく、安価かつ簡素な構成にて、ベースバンド部
が有するＨ／Ｌの閾値と無線送信部が有するＨ／Ｌの閾値の違いや両者の間に発生するリ
ンギングの影響を抑制できる。
【００１９】
請求項２の発明によれば、閾値制御部が、Ｈ／Ｌ判定部によって所定の読み込みタイミ
ングにおいて検出されたハイ値とロー値の平均値を閾値として設定するので、リンギング
やノイズの影響をより一層抑制できる。
【００２０】
請求項３の発明によれば、閾値制御部が、ハイ値の最小値とロー値の最大値の平均値を
閾値として設定するので、リンギングやノイズの影響をより一層抑制できる。
【００２１】
請求項４の発明によれば、閾値制御部が閾値を所定回数変更しても信号パターンが一致
しない場合、すなわち閾値を変更するだけでは対応できない場合には、警告部が警告を発
し、装置の管理者に通知する。従って、これを受けた管理者は、迅速に別途リンギング対
策を施すことができる。
【００２２】
請求項５の発明によれば、信号入力ラインに介挿された可変抵抗によって、リンギング
成分の振幅を抑制でき、ベースバンド部と無線送信部との間の信号の伝送をより正確なも
のとすることができる。
【００２３】
請求項６の発明によれば、抵抗制御部によって可変抵抗の抵抗値が最適化されるので、
過度なダンピングによってＨ／Ｌ判定部に入力される信号波形が歪み、Ｈ／Ｌ判定に悪影
響を及ぼすことを防止できる。
【００２４】
請求項７の発明によれば、時間管理部が、閾値制御部及び／又は抵抗制御部が動作を開
始する時間を管理するので、定期的に閾値や抵抗値を再設定することができる。これによ
り、回路を構成する部品の経年変化によるＨ／Ｌ判定への影響を低減できる。
【００２５】
請求項８の発明によれば、閾値制御部が閾値を変更する前に、信号パターンが一致する
ときは、閾値制御部及び／又は抵抗制御部は動作を開始しないので、閾値制御部の動作頻
度を低下させて無線送信装置の消費電力を低減できる。
【００２６】
請求項９の発明によれば、閾値制御部及び／又は抵抗制御部の動作を強制的に開始させ
る強制動作開始手段を備えているので、装置の管理者の判断により閾値制御部及び／又は
抵抗制御部を動作させるか否かを設定できる。
【００２７】
請求項１０の発明によれば、カメラ装置で撮像した映像をリンギングの影響を廃しつつ
映像再生装置に表示可能となる。
【００２８】
請求項１１の発明によれば、カメラ装置によって実際に撮像された映像信号を既知のパ
イロット信号として用いるので、閾値や抵抗値を実際の使用状況に応じて最適化すること
ができる。
【発明を実施するための最良の形態】
【００２９】
（実施形態１）
本発明の一実施形態による無線映像伝送システムについて図面を参照して説明する。図
１は無線映像伝送システムの構成を示している。本実施形態の無線映像伝送システム１は
、インターホンシステムと称されるものであり、映像信号を無線送信する無線映像送信装
置２と無線映像送信装置２が送信した映像信号を受信して再生する無線映像受信装置３等
によって構成されている。無線映像送信装置２は、映像を撮像するカメラ装置４と、カメ
ラ装置４から出力された映像信号をアンテナ６を介して無線送信する無線送信装置５等を
有している。無線映像受信装置３は、アンテナ６から無線送信された映像信号をアンテナ
７を介して受信する無線受信装置８と、無線受信装置８によって受信された映像信号に基
づいて、映像を再生表示するモニタ装置（映像再生装置）９を有している。
【００３０】
無線送信装置５は、ベースバンド部５１と、入力インターフェース部５２と、無線送信
部５３とメモリ５４等を有している。ベースバンド部５１は、カメラ装置４から出力され
た映像信号を処理し、デジタルのベースバンド信号を出力する。入力インターフェース部
５２は、ベースバンド部５１から入力されたベースバンド信号を処理して無線送信部５３
に出力する。無線送信部５３は、入力インターフェース部５２から入力された信号をアン
テナ６を介して無線送信する。ベースバンド部５１及び無線送信部５３は、個別のＩＣに
よって構成されている。ベースバンド部５１から出力されるベースバンド信号は、デジタ
ル入力信号ライン５１ａを介して入力インターフェース部５２に入力される。メモリ５４
には、既知の信号パターンを有する試験用のパイロット信号が予め記憶されている
【００３１】
図２は、入力インターフェース部５２の構成を示している。入力インターフェース部５
２は、Ｈ／Ｌ判定部６１と、デジタル処理部６２と、閾値制御部６３と、信号パターン比
較部６４と、メモリ７４等を有している。Ｈ／Ｌ判定部６１は、ベースバンド部５１から
出力されたベースバンド信号のハイ（Ｈ）又はロー（Ｌ）を判定し、対応する信号をデジ
タル処理部６２及び信号パターン比較部６４に出力する。デジタル処理部６２は、Ｈ／Ｌ
判定部６１から出力された信号を処理し、無線送信部５３に出力する。閾値制御部６３は
、ベースバンド部５１がベースバンド信号のＨ／Ｌ判定の基準となる閾値を変更する。ま
た、メモリ７４には、メモリ５４が記憶している信号パターンと同一の試験用のパイロッ
ト信号が予め記憶されている。
【００３２】
本実施形態において、ベースバンド部５１は、メモリ５４に予め記憶されている既知の
信号パターンを有する試験用のパイロット信号をベースバンド信号に付加してＨ／Ｌ判定
部６１に出力する。信号パターン比較部６４は、メモリ７４に記憶されているパイロット
信号の信号パターンと、Ｈ／Ｌ判定部６１によって判定されたベースバンド信号の信号パ
ターンとを比較して、閾値が適切であるかを判断する。
【００３３】
図３は、メモリ５４、７４に記憶されているパイロット信号の一例を示す。本実施形態
においては、パイロット信号として、サイクル毎に０と１が切り替わる交番信号が用いら
れている。パイロット信号が付加されたベースバンド信号は、Ｈ／Ｌ判定部６１によって
Ｈ／Ｌ判定され、対応する信号が信号パターン比較部６４に入力される。信号パターン比
較部６４は、図３に示したメモリ７４に記憶されている既知のパイロット信号の信号パタ
ーンと、実際にベースバンド部５１から出力されＨ／Ｌ判定部６１によって判定されたベ
ースバンド信号の信号パターンとを比較する。信号パターン比較部６４によって２つの信
号パターンが一致すると判定された場合、Ｈ／Ｌ判定部６１において適切な閾値でＨ／Ｌ
判定がなされているものとして、閾値を変更することなく通信を継続する。リンギングの
影響により信号パターン比較部６４によって２つの信号パターンが一致しないと判定され
た場合、閾値制御部６３は、閾値を変更する。
【００３４】
すなわち、ベースバンド部５１及び無線送信部５３を構成する２つのＩＣ間でＨ／Ｌの
閾値が異なっている場合は勿論、データがリンギングを持っている場合、Ｈ／Ｌを誤って
判定してしまう可能性がある。そのため、本実施形態においては、閾値制御部６３が閾値
を制御し、リンギングの影響を低減しＨ／Ｌを判定する。リンギングの影響の有無は予め
既知のパイロット信号を決めておき、その信号が読み込めるかどうかで判断する。
【００３５】
図４は、Ｈ／Ｌ判定部６１に入力されるベースバンド信号と閾値との関係を示している
。閾値が固定されていると仮定した場合、リンギングの影響を受けているベースバンド信
号が図４に示す読み込みタイミングで読み込まれると、その読み込んだ値が閾値よりも小
さくなるため、Ｈ／Ｌ判定部６１はローと誤判定する。この場合、信号パターン比較部６
４によって、メモリ７４に記憶されているパイロット信号の信号パターンと、Ｈ／Ｌ判定
部６１によって判定されたベースバンド信号の信号パターンとが一致しなくなるため、閾
値制御部６３が閾値を変更する。このように、信号パターン比較部６４における判定結果
が一致するまで閾値を動的に変更することにより、ベースバンド信号を読み込んだ値が閾
値よりも大きくなり、Ｈ／Ｌ判定部６１はハイと判定する。
【００３６】
上述した閾値の初期値及び増減値は適宜設定できる。例えば、ベースバンド信号のハイ
信号の電圧が５Ｖ、ロー信号の電圧が０Ｖのとき、閾値制御部６３は、閾値の初期値を２
．５Ｖと設定し、その後０．５Ｖずつ増減、すなわち３Ｖ、２Ｖ、３．５Ｖ、１．５Ｖと
変動させる。
【００３７】
図５は、無線映像送信装置２の動作を示している。装置の電源がオンされると（＃１）
、ベースバンド部５１が、パイロット信号を付加したベースバンド信号をＨ／Ｌ判定部６
１に入力し（＃２）、閾値制御部６３が閾値を初期値に設定し、Ｈ／Ｌ判定部６１がＨ／
Ｌ判定を行う（＃３）。そして、信号パターン比較部６４が、メモリ７４に記憶されてい
るパイロット信号とＨ／Ｌ判定部６１によって判定されたベースバンド信号の位相を合わ
せ、信号列が一致するかどうかを確認する（＃４）。その結果、２つの信号が一致する場
合は（＃５においてＹＥＳ）、閾値制御部６３は、その閾値で信号が読み込み可能、すな
わちリンギングの影響を受けないと判断し、その値で閾値を固定し、動作を終了する（＃
６）。一方、２つの信号が一致しない場合は（＃５においてＮＯ）、再度、ベースバンド
部５１が、パイロット信号を付加したベースバンド信号をＨ／Ｌ判定部６１に入力し（＃
２）、閾値制御部６３が閾値を変更し、Ｈ／Ｌ判定部６１がＨ／Ｌ判定を行う（＃３）。
２つの信号が一致するまで、＃２乃至＃５の処理を繰り替えし、最終的にリンギングの影
響の無い信号を得る。
【００３８】
本実施形態の無線映像送信装置２によれば、ベースバンド部５１から試験用の既知のパ
イロット信号を出力し、既知のパイロット信号の信号パターンとＨ／Ｌ判定部６１によっ
て判定されたベースバンド信号の信号パターンとが一致するように、閾値制御部６３が自
動で閾値を変更する。これにより、ダンピング抵抗を用いることなく、安価かつ簡素な構
成にて、ベースバンド部５１が有するＨ／Ｌの閾値と無線送信部５３が有するＨ／Ｌの閾
値の違いや両者の間に発生するリンギングの影響を抑制できる。これにより、無線映像伝
送システム１によれば、カメラ装置４で撮像した映像をリンギングの影響を廃しつつモニ
タ装置９に表示可能となる。
【００３９】
（実施形態２）
本実施形態２の無線映像伝送システムは、実施形態１の無線映像伝送システム１に対し
て入力インターフェース部５２を、図６に示す入力インターフェース部９０に置き換えた
ものである。入力インターフェース部９０は、ベースバンド信号のハイ値及びロー値を測
定する測定部（Ｈ／Ｌ判定部）６５と、測定されたハイ値及びロー値を記憶する記憶部（
閾値制御部）６６と、ハイ値とロー値の平均値を算出する閾値算出部（閾値制御部）６７
等を有している。
【００４０】
図７は、測定部６５が検出するベースバンド信号のハイ値及びロー値並びに閾値算出部
６７によって算出される閾値を示している。測定部６５は、信号パターン比較部６４によ
ってパイロット信号と一致すると判定されたベースバンド信号のハイ値とロー値を検出す
る。測定部６５は、所定の読み込みタイミングにおけるベースバンド信号の電圧を検出す
ることによりハイ値とロー値を検出する。閾値算出部６７は、測定部６５によって検出さ
れたハイ値とロー値の平均値を算出し、閾値として設定する。ハイ値とロー値の平均値を
算出するにあたっては、図７に示すように、１つのパルスにおいて検出したハイ値とロー
値を用いてもよいし、複数のパルスにおいて検出したハイ値とロー値を用いてもよい。
【００４１】
図８は、本実施形態における無線映像送信装置の動作を示している。＃１乃至＃５につ
いては、図５と同等であるので説明を省略する。＃５において２つの信号が一致する場合
は（＃５においてＹＥＳ）、測定部６５がベースバンド信号のハイ値及びロー値を測定し
（＃６）、記憶部６６に保存する（＃７）。そして、閾値算出部６７が、ハイ値とロー値
の平均値を算出し（＃８）、固定された閾値として設定する（＃９）。
【００４２】
本実施形態における無線映像送信装置によれば、閾値算出部６７が、測定部６５によっ
て所定の読み込みタイミングにおいて検出されたハイ値とロー値の平均値を閾値として設
定するので、リンギングやノイズの影響をより一層抑制できる。
【００４３】
（実施形態３）
本実施形態３の無線映像伝送システムは、実施形態２の無線映像伝送システムと同等の
構成を有しており、閾値算出部６７の演算処理において実施形態２の無線映像伝送システ
ムと相違する。
【００４４】
図９は、測定部６５が検出するベースバンド信号のハイ値及びロー値並びに閾値算出部
６７によって算出される閾値を示している。測定部６５は、信号パターン比較部６４によ
ってパイロット信号と一致すると判定されたベースバンド信号について、複数ビットに亘
って所定の読み込みタイミングにおいてハイ値とロー値を検出する。記憶部６６は、測定
部６５によって検出されたハイ値とロー値を記憶する。閾値算出部６７は、記憶したハイ
値の最小値（Ｈｍｉｎ）とロー値の最大値（Ｌｍａｘ）の平均値を算出する。
【００４５】
図１０は、本実施形態における無線映像送信装置の動作を示している。＃１乃至＃７に
ついては、図８と同等であるので説明を省略する。測定部６５は、所定のビット数（Ｎビ
ット）に亘ってベースバンド信号のハイ値とロー値を測定するまで（＃１１においてＮＯ
）、＃６、＃７の処理を繰り返し、所定のビット数（Ｎビット）に亘ってベースバンド信
号のハイ値とロー値を測定すると（＃１１においてＹＥＳ）、閾値算出部６７は、記憶部
６６に記憶させたハイ値とロー値を参照し、ハイ値の最小値とロー値の最大値を抽出し（
＃１２）、ハイ値の最小値とロー値の最大値の平均値を算出し（＃１３）、固定された閾
値として設定する（＃１４）。
【００４６】
本実施形態における無線映像送信装置によれば、閾値算出部６７が、ハイ値の最小値と
ロー値の最大値の平均値を閾値として設定するので、リンギングやノイズの影響をより一
層抑制できる。
【００４７】
（実施形態４）
本実施形態４の無線映像伝送システムは、実施形態１の無線映像伝送システム１に対し
て入力インターフェース部５２を、図１１に示す入力インターフェース部９１に置き換え
たものである。入力インターフェース部９１は、判定不可通知部（警告部）６８を有する
点において、入力インターフェース部５２とは相違する。
【００４８】
図１２は、判定不可通知部６８が動作する状況において、Ｈ／Ｌ判定部６１に入力され
るベースバンド信号を示している。同図に示すように、リンギングの影響が過度に大きく
なると、読み込みタイミングによっては、ハイ値がロー値よりも小さく検出される場合が
生ずる。判定不可通知部６８は、閾値制御部６３が閾値を所定回数変更しても、信号パタ
ーン比較部によるにおいて、２つの信号パターンが一致しない場合に警告を発し、Ｈ／Ｌ
判定ができない旨を管理者に通知して管理者に別途リンギングの対策を施す必要があるこ
とを明示する。警告は、光や音により行うことができる。また、閾値を変更する回数は、
管理者が適宜設定するものとする。
【００４９】
図１３は、本実施形態における無線映像送信装置の動作を示している。＃１乃至＃５に
ついては、図５と同等であるので説明を省略する。＃５において２つの信号パターンが一
致しない場合は（＃５においてＮＯ）、＃２１に移行する。その後＃１乃至＃５の処理を
繰り返し、閾値制御部６３が所定回数閾値を変更しても２つの信号パターンが一致しない
場合は（＃２１においてＹＥＳ）、判定不可通知部６８が警告を発し、リンギング対策を
促す（＃２２）。なお、＃５において２つの信号パターンが一致する場合は（＃５におい
てＹＥＳ）、図８及び図１０と同等の処理を実行するように構成してもよい。
【００５０】
本実施形態における無線映像送信装置によれば、閾値制御部６３が閾値を所定回数変更
しても信号パターンが一致しない場合、すなわち閾値を変更するだけでは対応できない場
合には、判定不可通知部６８が警告を発し、装置の管理者に通知する。従って、これを受
けた管理者は、迅速に別途リンギング対策を施すことができる。
【００５１】
（実施形態５）
本実施形態５の無線映像伝送システムは、実施形態１の無線映像伝送システム１に対し
て入力インターフェース部５２を、図１４に示す入力インターフェース部９２に置き換え
たものである。入力インターフェース部９２は、デジタル入力信号ライン５１ａに介挿さ
れる可変抵抗６９と、可変抵抗６９を制御する可変抵抗制御部（抵抗制御部）７０を有す
る点において、入力インターフェース部５２とは相違する。なお、可変抵抗６９及び可変
抵抗制御部７０は、例えば、Ｈ／Ｌ判定部６１を構成するＡＳＩＣの内部に設けられ、部
品点数の増加には寄与しない。
【００５２】
図１５は、可変抵抗６９が動作する状況において、Ｈ／Ｌ判定部６１に入力されるベー
スバンド信号を示している。同図に示すように、リンギングの影響が過度に大きく、ハイ
値がロー値よりも小さく検出される場合には、可変抵抗制御部７０が可変抵抗６９の抵抗
値を大きくし、リンギング成分の振幅を抑制する。
【００５３】
図１６は、本実施形態における無線映像送信装置の動作を示している。＃１乃至＃５に
ついては、図５と同等であるので説明を省略する。＃５において２つの信号パターンが一
致しない場合は（＃５においてＮＯ）、＃３１に移行する。＃３１において、２つの信号
パターンが所定の回数以上異なっていた場合には（＃３１においてＹＥＳ）、可変抵抗制
御部７０が可変抵抗６９の抵抗値を大きくする（＃３２）。これにより、可変抵抗６９の
ダンピング抵抗としての役割が大きくなり、リンギングが減少される。なお、＃３１にお
いては、同一の抵抗値毎に回数を判定するものとする。
【００５４】
本実施形態における無線映像送信装置によれば、デジタル入力信号ライン５１ａに介挿
された可変抵抗６９によって、リンギング成分の振幅を抑制でき、ベースバンド部５１と
無線送信部５３との間の信号の伝送をより正確なものとすることができる。
【００５５】
（実施形態６）
本実施形態６の無線映像伝送システムは、実施形態１の無線映像伝送システム１に対し
て入力インターフェース部５２を、図１７に示す入力インターフェース部９３に置き換え
たものである。入力インターフェース部９３は、測定部６５と、記憶部６６と、閾値算出
部６７と、可変抵抗６９と、可変抵抗制御部（抵抗制御部）７０と、可変抵抗６９の抵抗
値を算出する算出部７１を有する点において、入力インターフェース部５２とは相違する
。
【００５６】
図１８は、可変抵抗６９が動作する状況において、Ｈ／Ｌ判定部６１に入力されるベー
スバンド信号を示している。同図上段に示すように、リンギングの影響が過度に大きく、
ハイ値がロー値よりも小さく検出される場合には、中段に示すように、可変抵抗制御部７
０が可変抵抗６９の抵抗値を大きくし、リンギング成分の振幅を抑制する。ところが可変
抵抗６９の抵抗値を過度に大きくすると、下段に示すように、ベースバンド信号の波形が
歪み、正確に信号を読み取ることができなくなってしまう可能性がある。
【００５７】
図１８において上段に示す状態から中段に示す状態になるまで可変抵抗６９の抵抗値を
上げていくと、ハイ値の最小値からロー値の最大値を減じた値（Ｈｍｉｎ−Ｌｍａｘ）が
大きくなる。さらに、図１８において中段に示す状態から下段に示す状態になるまで可変
抵抗６９の抵抗値を上げていくと、Ｈｍｉｎ−Ｌｍａｘが小さくなる。そこで、本実施形
態においては、算出部７１がＨｍｉｎ−Ｌｍａｘを算出し、可変抵抗制御部７０がＨｍｉ
ｎ−Ｌｍａｘが最大となるように可変抵抗６９の抵抗値を制御して最適化する。
【００５８】
図１９は、本実施形態における無線映像送信装置の動作を示している。＃１乃至＃３２
については、図１６と同等であるので説明を省略する。＃５において２つの信号パターン
が一致する場合は（＃５においてＹＥＳ）、測定部６５がベースバンド信号のハイ値及び
ロー値を測定し（＃４１）、可変抵抗６９の抵抗値と共に記憶部６６に保存する（＃４２
）。測定部６５は、所定のビット数（Ｎビット）に亘ってベースバンド信号のハイ値とロ
ー値を測定するまで（＃４３においてＮＯ）、＃４１、＃４２の処理を繰り返す。
【００５９】
測定部６５が所定のビット数（Ｎビット）に亘ってベースバンド信号のハイ値とロー値
を測定すると（＃４３においてＹＥＳ）、閾値算出部６７は、記憶部６６に記憶させたハ
イ値とロー値を参照し、ハイ値の最小値とロー値の最大値を抽出する（＃４４）。さらに
、閾値算出部６７は、Ｈｍｉｎ−Ｌｍａｘを算出し（＃４５）、記憶部６６に保存する（
＃４６）。Ｈｍｉｎ−Ｌｍａｘが記憶部６６に所定の個数（Ｍ個）以上記憶されるまで（
＃４７においてＮＯ）、可変抵抗制御部７０が可変抵抗６９の抵抗値を制御して（＃４８
）、＃４１に戻る。Ｈｍｉｎ−Ｌｍａｘが記憶部６６にＭ個以上記憶されると（＃４７に
おいてＹＥＳ）、可変抵抗制御部７０が記憶部６６に記憶させたＨｍｉｎ−Ｌｍａｘを参
照し、その最大値を抽出し（＃４９）、可変抵抗６９の抵抗値を固定する（＃５０）。
この後、必要に応じて、図８、１０に示す＃６乃至＃１４の処理を行うように、無線映像
送信装置を構成してもよい。
【００６０】
本実施形態における無線映像送信装置によれば、可変抵抗制御部７０によって可変抵抗
６９の抵抗値が最適化されるので、過度なダンピングによってＨ／Ｌ判定部６１に入力さ
れる信号波形が歪み、Ｈ／Ｌ判定に悪影響を及ぼすことを防止できる。
【００６１】
（実施形態７）
本実施形態７の無線映像伝送システムは、実施形態１の無線映像伝送システム１に対し
て入力インターフェース部５２を、図２０に示す入力インターフェース部９４に置き換え
たものである。入力インターフェース部９４は、時間管理部７２を有する点において、入
力インターフェース部５２とは相違する。時間管理部７２は、閾値制御部６３等のリンギ
ング対策部が動作を開始する時間を管理する。時間管理部７２によって管理されるリンギ
ング対策部は、閾値制御部６３の他、上述した信号パターン比較部６４、測定部６５、記
憶部６６、閾値算出部６７、判定不可通知部６８、可変抵抗６９、可変抵抗制御部７０、
算出部７１等であってもよい。
【００６２】
図２１は、本実施形態における無線映像送信装置の動作を示している。装置の電源をオ
ンすると（＃６０）、閾値制御部６３等のリンギング対策部を動作させてリンギング対策
を実施し（＃６１）、それが完了すると、時間管理部１２は、リンギング対策部を待機さ
せる（＃６２）。その後、時間管理部１２は、時間を計数し、所定の時間が経過するとリ
ンギング対策部に動作命令を出力し、リンギング対策を実施する（＃６３）。なお、ここ
でいうリンギング対策とは、図５、図８、図１０、図１３、図１６又は図１９に示した動
作をいう。
【００６３】
本実施形態における無線映像送信装置によれば、時間管理部７２が、閾値制御部６３等
のリンギング対策部が動作を開始する時間を管理するので、定期的に閾値や抵抗値を再設
定することができる。これにより、回路を構成する部品の経年変化によるＨ／Ｌ判定への
影響を低減できる。
【００６４】
（実施形態８）
本実施形態８の無線映像伝送システムは、実施形態１の無線映像伝送システム１と同等
の構成を有しており、閾値制御部６３の処理において無線映像伝送システム１と相違する
。本実施形態において、閾値制御部６３の初期設定の閾値で２つの信号パターンが一致す
るときは、閾値制御部６３による閾値の変更等のリンギング対策動作は開始しないものと
する。
【００６５】
図２２は、本実施形態における無線映像送信装置の動作を示している。＃１乃至＃４に
ついては、図１と同等であるので説明を省略する。初期設定の閾値で信号パターン比較部
６４によって２つの信号が一致すると判定された場合は（＃７０においてＹＥＳ）、閾値
制御部６３の動作を停止させた待機状態として（＃７１）、処理を終了する（＃７６）。
初期設定の閾値で２つの信号が一致しないと判定された場合は（＃５においてＮＯ）、再
度、ベースバンド部５１が、パイロット信号を付加したベースバンド信号をＨ／Ｌ判定部
６１に入力し（＃７２）、閾値制御部６３が閾値を変更し、Ｈ／Ｌ判定部６１がＨ／Ｌ判
定を行う（＃７３）。そして、信号パターン比較部６４が、メモリ７４に記憶されている
パイロット信号とＨ／Ｌ判定部６１によって判定されたベースバンド信号の位相を合わせ
、信号列が一致するかどうかを確認する（＃７４）。その結果、２つの信号が一致する場
合は（＃７５においてＹＥＳ）、閾値制御部６３は、その値で閾値を固定し、動作を終了
する（＃７６）。一方、２つの信号が一致しない場合は（＃７５においてＮＯ）、再度、
＃７２に戻り、２つの信号が一致するまで、＃７２乃至＃７５の処理を繰り替えす。
【００６６】
本実施形態における無線映像送信装置によれば、閾値制御部６３が閾値を変更する前に
、すなわち初期設定の閾値で、２つの信号パターンが一致するときは、閾値制御部６３は
動作を開始しないので、閾値制御部６３の動作頻度を低下させて無線送信装置の消費電力
を低減できる。
【００６７】
（実施形態９）
本実施形態９の無線映像伝送システムは、実施形態１の無線映像伝送システム１に対し
て入力インターフェース部５２を、図２３に示す入力インターフェース部９５に置き換え
たものである。入力インターフェース部９５は、閾値変更動作ボタン（強制動作開始手段
）７３を有する点において、入力インターフェース部５２とは相違する。閾値変更動作ボ
タン７３は、管理者によって操作される。初期設定の閾値で２つの信号パターンが一致し
、閾値制御部６３による閾値の変更等のリンギング対策動作は開始しない場合において、
閾値変更動作ボタン７３が操作されると、閾値制御部６３はリンギング対策動作を強制的
に開始する。この閾値変更動作ボタン７３を実施形態２乃至実施形態７に適用して、閾値
変更動作ボタン７３によって信号パターン比較部６４、測定部６５、記憶部６６、閾値算
出部６７、判定不可通知部６８、可変抵抗６９、可変抵抗制御部７０、算出部７１等の動
作開始のトリガとなるように構成してもよい。
【００６８】
図２４は、本実施形態における無線映像送信装置の動作を示している。＃１乃至＃７５
については、図１と同等であるので説明を省略する。初期設定の閾値で、２つの信号パタ
ーンが一致し（＃７０においてＹＥＳ）、閾値制御部６３が待機状態となった後（＃７１
）、閾値変更動作ボタン７３が操作されると（＃８０においてＹＥＳ）、再度、＃７２に
戻り、その後閾値制御部６３によって閾値が変更され（＃７３）、上記実施形態８と同等
の動作となる。
【００６９】
本実施形態における無線映像送信装置によれば、閾値制御部６３等のリンギング対策部
の動作を強制的に開始させる閾値変更動作ボタン７３を備えているので、管理者の判断に
よりリンギング対策部を動作させるか否かを設定できる。従って、長期間に亘って装置が
使用される場合にあっては、監理者が閾値変更動作ボタン７３を適宜操作することにより
、回路を構成する部品の経年変化によるＨ／Ｌ判定への影響をより効果的に低減できる。
【００７０】
なお、本発明は上記実施形態の構成に限られることなく、種々の変形が可能である。例
えば、メモリ５４、７４に記憶されているパイロット信号は、図３に示すような単純な交
番信号に限られることなく、カメラ装置４によって撮像することによって得られた実際の
映像データを用いてもよい。この場合においては、実際の映像データから閾値や抵抗値を
設定するので、現実の使用状況においてリンギングの影響を抑制することができる。また
、本発明の無線映像送信装置は、インターホンシステムに限られることなく無線通信に広
く適用可能である。
【図面の簡単な説明】
【００７１】
【図１】本発明の実施形態１による無線映像伝送システム及び無線映像送信装置の構成を示すブロック図。
【図２】同無線映像送信装置に適用される入力インターフェース部の構成を示すブロック図。
【図３】同無線映像送信装置において、メモリに記憶されているパイロット信号の一例を示す図。
【図４】同入力インターフェース部のＨ／Ｌ判定部に入力されるベースバンド信号と閾値との関係を示す図。
【図５】実施形態１の無線映像送信装置の動作を示すフローチャート。
【図６】実施形態２の無線映像送信装置に適用される入力インターフェース部の構成を示すブロック図。
【図７】同入力インターフェース部の測定部が検出するベースバンド信号のハイ値及びロー値並びに閾値算出部によって算出される閾値を示す図。
【図８】実施形態２の無線映像送信装置の動作を示すフローチャート。
【図９】実施形態３の無線映像送信装置におけるベースバンド信号のハイ値及びロー値並びに閾値算出部によって算出される閾値を示す図。
【図１０】実施形態３の無線映像送信装置の動作を示すフローチャート。
【図１１】実施形態４の無線映像送信装置に適用される入力インターフェース部の構成を示すブロック図。
【図１２】実施形態４のＨ／Ｌ判定部に入力されるベースバンド信号を示す図。
【図１３】実施形態４の無線映像送信装置の動作を示すフローチャート。
【図１４】実施形態５の無線映像送信装置に適用される入力インターフェース部の構成を示すブロック図。
【図１５】実施形態５のＨ／Ｌ判定部に入力されるベースバンド信号を示す図。
【図１６】実施形態５の無線映像送信装置の動作を示すフローチャート。
【図１７】実施形態６の無線映像送信装置に適用される入力インターフェース部の構成を示すブロック図。
【図１８】実施形態６のＨ／Ｌ判定部に入力されるベースバンド信号を示す図。
【図１９】実施形態６の無線映像送信装置の動作を示すフローチャート。
【図２０】実施形態７の無線映像送信装置に適用される入力インターフェース部の構成を示すブロック図。
【図２１】実施形態７の無線映像送信装置の動作を示すフローチャート。
【図２２】実施形態８の無線映像送信装置の動作を示すフローチャート。
【図２３】実施形態９の無線映像送信装置に適用される入力インターフェース部の構成を示すブロック図。
【図２４】実施形態９の無線映像送信装置の動作を示すフローチャート。
【符号の説明】
【００７２】
１    無線映像伝送システム
２    無線映像送信装置
３    無線映像受信装置
４    カメラ装置
５    無線送信装置
６    アンテナ
８    無線受信装置
９    モニタ装置（映像再生部）
５１    ベースバンド部
５１ａ    デジタル入力信号ライン（信号入力ライン）
５３    無線送信部
５４    メモリ
６１    Ｈ／Ｌ判定部
６３    閾値制御部
６４    信号パターン比較部（信号パターン比較部）
６５    測定部（Ｈ／Ｌ判定部）
６６    記憶部（閾値制御部）
６７    閾値算出部（閾値制御部）
６８    判定不可通知部（警告部）
６９    可変抵抗
７０    可変抵抗制御部（抵抗制御部）
７１    算出部
７２    時間管理部
７３    閾値変更動作ボタン（強制動作開始手段）
７４    メモリ
【図１】
2010154334.tif 000003
【図２】
2010154334.tif 000004
【図３】
2010154334.tif 000005
【図４】
2010154334.tif 000006
【図５】
2010154334.tif 000007
【図６】
2010154334.tif 000008
【図７】
2010154334.tif 000009
【図８】
2010154334.tif 000010
【図９】
2010154334.tif 000011
【図１０】
2010154334.tif 000012
【図１１】
2010154334.tif 000013
【図１２】
2010154334.tif 000014
【図１３】
2010154334.tif 000015
【図１４】
2010154334.tif 000016
【図１５】
2010154334.tif 000017
【図１６】
2010154334.tif 000018
【図１７】
2010154334.tif 000019
【図１８】
2010154334.tif 000020
【図１９】
2010154334.tif 000021
【図２０】
2010154334.tif 000022
【図２１】
2010154334.tif 000023
【図２２】
2010154334.tif 000024
【図２３】
2010154334.tif 000025
【図２４】
2010154334.tif 000026